(57)【要約】本発明は、第１の移動通信装置（ME）の、第２の移動通信装置（ME）の加入者識別モジュール（SIM）への外部アクセスを実行するための方法に関し、本発明においては第１および第２の移動通信装置間の論理的インタフェースが確定され、そのインタフェースを介して第１および第２の移動通信装置間の論理的、自律的通信が可能にされる。さらに本発明は、少なくとも第１および第２の移動通信装置（ME）の配置構成を含み、その配置構成においては論理的インタフェースが確定されており、そのインタフェースを介して第１の移動通信装置は第２の移動通信装置のSIMへのアクセスを有する。
2005534214.tif 000002
【特許請求の範囲】
【請求項１】
第１の移動通信装置（ME）を第２の移動通信装置（ME）の加入者識別モジュール（SIM）へ外部アクセスさせるための方法において、第１および第２の移動通信装置間の論理的インタフェースが確定され、そのインタフェースを介して第１および第２の移動通信装置間の論理的、自律的通信が可能にされる加入者識別モジュールへのアクセス実行方法。
【請求項２】
第１及び第２の移動通信装置に、第１および第２の移動通信装置間の論理通信を論理的インタフェースに適応させる各１つの適応レイヤが設けられていることを特徴とする請求項１記載の方法。
【請求項３】
論理的インタフェースとしてATコマンド・ベースのインタフェースが確定されることを特徴とする請求項１又は２記載の方法。
【請求項４】
論理的インタフェースがクライアント／サーバ・アーキテクチャを使用することを特徴とする請求項１〜３のいずれか１つに記載の方法。
【請求項５】
論理的インタフェースが使用される伝送テクノロジーに無関係に使用され、特にRS232、USB、Bluetooth、Wireless LAN（WLAN）またはUltra Wide Band（UWB）が使用されることを特徴とする請求項１〜４のいずれか１つに記載の方法。
【請求項６】
少なくとも第１および第２の移動通信装置（ＭＥ）の配置において、論理的インタフェースが確定されており、そのインタフェースを介して第１の移動通信装置が第２の移動通信装置のSIMへのアクセスを有する移動通信装置の配置構成。
【請求項７】
論理的インタフェースがATコマンド・ベースのインタフェースであることを特徴とする請求項６記載の配置構成。
【請求項８】
第１および第２の移動通信装置に、第１及び第２の移動通信装置間の論理通信を論理的インタフェースに適応させる各１つの適応レイヤが存在していることを特徴とする請求項６又は７記載の配置構成。
【請求項９】
論理的インタフェースが伝送テクノロジーとしてRS232、USB、Bluetooth、Wireless LAN（WLAN）またはUltra Wide Band（UWB）を使用し得ることを特徴とする請求項６〜８のいずれか１つに記載の配置構成。
【請求項１０】
第１の移動通信装置にSIMが組み込まれていないことを特徴とする請求項６〜９のいずれか１つに配置構成。
【発明の詳細な説明】
【技術分野】
【０００１】
本発明は、第１の移動通信装置（Mobile Equipment ME）の、第２の移動通信装置（ME）の加入者識別モジュール（Subscriber Identity Modul SIM）または汎用の加入者識別モジュール（Universal Subscriber Identity Modul USIM）への外部アクセスを実行するための方法に関するものである。移動通信装置はその際例えば移動電話、カーテレフォン、モデム、無線モデムまたは無線モジュールである。
【０００２】
移動通信装置のSIMカード上にはGSM（Global System for Mobile Communications）、GPRS（General Packet Radio Service）またはUMTS（Universal Mobile Telecommunications System）移動無線ネットワークにおける認証のためのデータ及び利用者に関連する他の情報が記憶される。加えてSIMを介して移動通信装置により利用されるネット資源が利用者に、従ってまた口座に対応付けられる。
【０００３】
SIMカードは、なかんずくアルゴリズムを介してネットのなかの確実な認証を行うプロセッサから成っている。このプロセッサはカード、SIMカード読取装置へ取り込まれるいわゆるスマートカード、の上に位置している。この読取装置は再び移動通信ネットワーク中に組み入れられている。
【０００４】
このことは、GSM／UMTS移動無線ネットワークにおいて申し込みおよび認証をしたい各移動通信装置がSIMを自由に使えなければならないことを意味する。しかし、識別すべき口座は利用者に対応付けられているので、利用者による複数の移動通信装置の使用は、例えばD１の“ツインカード”を用いて異なる論理の利用者、即ち異なる移動通信装置、の口座への会計的な対応付けによってのみ可能である。
【０００５】
これまで、異なる移動通信装置を有する利用者が識別を介して、即ちSIMを用いて、GSM移動無線ネットワークにおいて申し込むことは可能でない。
【０００６】
移動通信装置により利用され得る可能な移動サービスの拡大とともに、移動通信装置への要求が著しく高まる。その結果、利用者は種々の移動サービスを各サービスに特殊化された複数の移動通信装置を介して利用することになる。
【０００７】
利用者にGSM／UMTS移動無線ネットワークへの種々の移動通信装置を介してのアクセスを可能にするためには、利用者が各移動通信装置を介してGSM／UMTS移動無線ネットワークに申し込みし得ることが必要である。
【０００８】
本発明の課題は、利用者が複数の移動通信装置の利用のもとに可能なかぎり迅速かつ簡単にGSM／UMTS移動無線ネットワークにおいて申し込みし得るようにする方法及び移動通信装置の配置を提案することである。
【０００９】
この課題は請求項１による本発明の方法、また請求項６による本発明の配置構成により解決される。有利な実施形態は相応する従属請求項にあげられている。
【００１０】
請求項１によれば、本発明により、第１の移動通信装置（ME）の第２の移動通信装置（ME）の加入者識別モジュール（SIM）への外部アクセスを実行するための方法が用意され、その際第１および第２の移動通信装置間の論理的インタフェースが確定され、そのインタフェースを介して第１および第２の移動通信装置間の論理的、自律的通信が可能にされる。
【００１１】
これまでは各移動通信装置に利用者または加入者を識別するためのSIMが組み入れられていなければならなかった。SIMは移動通信装置の構成要素である。複数のSIMカード、即ち原理的に移動通信装置を利用者またはその口座に対応付けるためには、いくつかの移動無線提供者からいわゆるツインカードが提供されている。これらのカードを用いて例えば利用者の２つの移動通信装置が一緒に勘定される。
【００１２】
しかしこの解決策は欠点を有する。固有のSIMカードを有する２つの移動通信装置がただ１つの電話番号を介して呼び出されるので、相応するネットワークに、どの装置に到来する呼出しが信号化されるべきかが知らされていない。能動化される通信装置を認識する付加の調整費用、例えば最後にネットワークにおいてブックインされた移動通信装置の使用による費用、がネットワークまたは使用者により必要とされる。
【００１３】
移動通信装置間の自動的な切換の可能性が存在しない。
【００１４】
加えて、利用者が移動通信装置から他の移動通信装置のSIMへアクセスすることは可能でない。それによって、利用者は電話ブッキングのようなサービスを例えば直接にSIMカード読取機と接続されている移動通信装置を介してしか利用できない。
【００１５】
さらに、各移動通信装置にカード読取機を有する固有のSIMを設けなければならないことも不利である。それはかなり費用がかかる。
【００１６】
本発明によりいまや、１つの移動通信装置の、他の移動通信装置の加入者識別モジュール（SIM）へのアクセスを可能にする方法が準備される。アクセスはその際外部の論理的インタフェースを介して行われる。１つの移動通信装置がSIMを自由に使えない場合、本発明は本発明による確定された論理的インタフェースを介して他の移動通信装置のSIMカードのデータへアクセスすることを可能にする。
【００１７】
本発明による方法の好ましい実施形態では、第１および第２の移動通信装置に、第１および第２の移動通信装置間の論理通信を論理的インタフェースに適応させる各１つの適応レイヤが設けられる。このことは、外部のSIMへのアクセスを管理するSIMサービスマネージャーが設けられることを意味する。
【００１８】
さらに、論理的インタフェースとして好ましくはATコマンド・ベースのインタフェースが確定される。論理通信はそれに属している伝送テクノロジーに無関係である。
【００１９】
本発明による方法の別の好ましい実施形態では、論理的インタフェースはクライアント／サーバ・アーキテクチャを使用する。本発明により設けられている適応レイヤは既述のSIMサービスマネージャーの構成部分である。適応レイヤはクライアントとサーバとの間の論理通信を論理的な、好ましくはATコマンド・ベースのインタフェースに適応させる。SIMなしの移動通信装置はその際クライアントの役割を引き受け、それに対してSIMありの移動通信装置はサービス“SIMサービス”を自由に使わせ、こうしてサーバの役割につく。サーバ、またはより厳密にはSIMアクセスサーバ、は他の移動通信装置に、外部の論理的インタフェースを介してSIMカードのデータへのアクセスを許す。サーバはその際例えば集積されたSIMカードを持っている移動電話であってよい。無線接続またはケーブル接続を介して移動電話はサーバとして他の移動通信装置がそのSIMカードにアクセスすることを可能にする。
【００２０】
クライアント、またはより厳密にはSIMアクセス・クライアント、は外部の論理的インタフェースを介してのサーバとの装置接続を介してそのSIMカードを使用する。SIMアクセス・クライアントは例えば自動車に取り付けられているGSM／GPRSモジュールであってよい。このモジュールは例えば移動無線ネットワークを介しての通信を特殊な環境に適応させなければならない。
【００２１】
クライアントから例えば問い合わせ、いわゆるリクエスト、がサーバになされる。これは、好ましくは、サーバに外部のATコマンド・ベースのインタフェースを介してATコマンドとしてリクエストを送ることにより行われる。サーバは、同じく好ましくはATコマンドとしてクライアントに送られる情報レスポンスにより回答する。サーバは事件を、クライアントによる前もっての要求なしでも、いわゆるUnsolicited Result Code（URC 非送信請求結果コード）を介して報知することができる。
【００２２】
本発明の大きな利点は、SIM共有を可能にするため、SIMへの外部アクセスを実行するためにATコマンド・インタフェースを利用することにある。その際、その後にサーバとして機能する移動通信装置は、その後にクライアントでありサービスを利用したい他の移動通信装置にSIMを自由に使わせ、それを用いてそのサービスが利用可能になる。
【００２３】
本発明による方法の別の好ましい実施形態では、論理的インタフェースは伝送テクノロジーとしてRS232、USB、Bluetooth、Wireless LAN（WLAN）またはUltra Wide Band（UWB）を使用する。
【００２４】
論理的インタフェースが伝送テクノロジーに無関係であることにより、例えば、SIM共有が容易に異なる用途に転用され得るという利点を生ずる。
【００２５】
さらに本発明は、少なくとも第１および第２の移動通信装置（ME）の対応する配置において、論理的インタフェースが確定されており、そのインタフェースを介して第１の移動通信装置が第２の移動通信装置のSIMへのアクセスを有する配置構成に関するものである。
【００２６】
その際、既述のように、論理的インタフェースはATコマンド・ベースのインタフェースであるのが有利である。
【００２７】
本発明による配置構成の好ましい実施形態では、第１および第２の移動通信装置に、第１および第２の移動通信装置間の論理通信を論理的インタフェースに適応させる各１つの適応レイヤが存在している。
【００２８】
好ましくは、論理的インタフェースは伝送テクノロジーとして、RS232、USB、Bluetooth、Wireless LAN（WLAN）またはUltra Wide Band（UWB）を使用し得る。
【００２９】
本発明の他の利点は以下に図面により一層詳細に説明される。
【００３０】
図１には自動車１における本発明による方法の可能な応用例が示されている。自動車（KFZ）１内には、GSM／GPRS通信モジュールの形態の移動通信装置ME2が固定的に取り付けられ、この通信モジュールはなかんずく環境への振動耐性および温度耐性に関する要求に最適化されている。ME2の課題はなんずく、例えば事故緊急呼出し、ナビゲーションデータの伝達、サービス目的での自動車データへのアクセスおよびテレメトリにある。
【００３１】
固定設置されたME2は、その乗客室３の外側に配置されているアンテナ４を介して移動無線ネットワークへの無線アクセスを用意する。しかしME2は固有のSIMカードを使えず、従ってクライアントとして構成されている。いま移動電話ME5を持った利用者が乗客室３のなかに入ると、その利用者はME5をそのために設けられている装置６に差し込むことができる。この装置は組み込まれているGSM／GPRSモジュールME2へのデータ接続、例えば直列のデータケーブルを提供する。ME5はサーバとして構成されており、組み込まれているME2にそのSIMを自由に使わせる。それによってME2は、ME5がそのGSM／GPRSエアー・インタフェースを切離した後に、移動無線ネットワークへの通信を引き受ける。こうして利用者はこの環境に最適化された通信システムを得る。
【図面の簡単な説明】
【００３２】
【図１】本発明による方法を実施するための一構成例の概略図である。
【符号の説明】
【００３３】
１  自動車
３  乗客室
４  アンテナ
６  装置
ME2  移動通信装置
ME5  移動電話
【図１】
2005534214.tif 000003
【国際調査報告】
2005534214.tif 000004
2005534214.tif 000005
2005534214.tif 000006
2005534214.tif 000007
2005534214.tif 000008
2005534214.tif 000009